(57)【要約】【課題】カビの発生を十分に抑制することを可能にした除湿機を提供する。【解決手段】冷風側吸込口１５、温風側吸込口１６及び正面吹出口１０と、処理空気の吹出方向を自動的に変化させるルーバー１３と、吸入した空気を吸湿又は加熱して相対湿度を下げる機能（２０，２２）と、室温を検出する温度検出手段３１と、湿度を検出する湿度検出手段３２と、処理空気の吹出範囲を室温又は湿度に応じて運転中に変化させ、室温及び湿度に応じて自動で運転を開始し、又は停止する制御部３０とを備えた除湿機において、制御部３０は、除湿運転の最短時間を設定した運転モードを備え、湿度が予め設定された湿度を下回るまで除湿運転を続け、その設定湿度以下の湿度を、前記最短時間維持するようにして除湿運転を続けた後に自動的に停止する機能を備える。【選択図】図１０
2010236854.tif 000002
【特許請求の範囲】
【請求項１】
室内空気の吸込口及び処理空気の吹出口と、
処理空気の吹出方向を変化させる機構と、
吸入された空気を吸湿又は加熱して相対湿度を下げる機能と、
室温を検出する温度検出手段と、
湿度を検出する湿度検出手段と、
処理空気の吹出範囲を室温又は湿度に応じて運転中に変化させ、室温及び湿度に基づいて自動的に運転を開始し又は停止させる制御手段と
を備えた除湿機において、
前記制御手段は、除湿運転の最短時間を設定した運転モードを備え、湿度が予め設定された湿度を下回るまで除湿運転を続け、その設定湿度以下の湿度を、前記最短時間維持するようにして除湿運転を続けた後に自動的に停止する機能を備えたことを特徴とする除湿機。
【請求項２】
前記運転モードにおいて、除湿運転の最短時間は室温の範囲に応じて設定されることを特徴とする請求項１に記載の除湿機。
【請求項３】
除湿運転の最短時間を、低温時は、常温時よりも長い時間としたことを特徴とする請求項２に記載の除湿機。
【請求項４】
除湿運転の最短時間を、２０℃以上は４時間、２０℃未満では６時間としたことを特徴とする請求項３に記載の除湿機。
【発明の詳細な説明】
【技術分野】
【０００１】
本発明は、除湿又は乾燥装置を備えた除湿機に関し、特に吹出口の動作制御、吹出口の形状及び除湿運転の制御に関する。
【背景技術】
【０００２】
従来の除湿機には、室内空気の温度及び相対湿度に基づいて低湿度維持時間を判定して除湿運転を行い、室内の湿度を調節しているものがある（例えば、特許文献１参照）。また、雰囲気の相対湿度を４０〜６０％で調節すると、カビの成長を抑制する効果があることが示されている（例えば、特許文献２及び特許文献３参照）。
【先行技術文献】
【特許文献】
【０００３】
【特許文献１】特開２００１−２４８８８０号公報（要約、図６）
【特許文献２】特開平７−２７５３２９号公報（第３頁）
【特許文献３】特開２００１−２０８４０１号公報（第３頁）
【発明の概要】
【発明が解決しようとする課題】
【０００４】
従来の除湿機においては、室内空気の温度及び相対湿度に基づいて低湿度維持時間を判定しているが、浴室などのカビが育ちやすい環境例えば浴室の床面など水滴が溜まりやすい場所では、長時間水滴が残り、空気中の相対湿度が下がっても、局所的には湿度の下がらない場所が残り、カビの発生を十分に抑制することが困難であるという問題点があった。
【０００５】
本発明は、上記の問題点を解決するためになされたものであり、カビの発生を十分に抑制することを可能にした除湿機を提供することを目的とする。
【課題を解決するための手段】
【０００６】
本発明に係る除湿機は、室内空気の吸込口及び処理空気の吹出口と、処理空気の吹出方向を変化させる機構と、吸入された空気を吸湿又は加熱して相対湿度を下げる機能と、
室温を検出する温度検出手段と、湿度を検出する湿度検出手段と、処理空気の吹出範囲を室温又は湿度に応じて運転中に変化させ、室温及び湿度に基づいて自動的に運転を開始し又は停止させる制御手段とを備えた除湿機において、前記制御手段は、除湿運転の最短時間を設定した運転モードを備え、湿度が予め設定された湿度を下回るまで除湿運転を続け、その設定湿度以下の湿度を、前記最短時間維持するようにして除湿運転を続けた後に自動的に停止する機能を備えたものである。
【発明の効果】
【０００７】
本発明によれば、室温又は湿度に応じて送風範囲を切り替えることによって除湿された空気（処理空気）の吹き出し方向が変化し、時間経過とともに変化する、室内空気や天井や壁面、床面の乾燥状態に応じて、処理空気が乾燥すべき方向へ送風され、室内を短時間で乾燥することができる。このため、カビの発生を十分に抑制することを可能にした除湿機を提供することが可能になっている。
【図面の簡単な説明】
【０００８】
【図１】除湿機の外観図（正面）である。
【図２】除湿機の外観図（背面）である。
【図３】除湿機の基本構造を示す概略図である。
【図４】除湿機の冷風側（蒸発器側）風路の断面図である。
【図５】除湿機の温風側（凝縮器側）風路の断面図である。
【図６】除湿機の制御系を示すブロック図である。
【図７】吹出口の機構を示す概略図である。
【図８】吹出口の動作可能範囲の全範囲を往復する場合の動作範囲（送風範囲）と、その上下限の位置を示す模式図である。
【図９】吹出口の動作可能範囲の床面に近い方向で往復する場合の動作範囲（送風範囲）と、その上下限位置を示す模式図である。
【図１０】運転制御の実施例におけるフローチャートである。
【図１１】運転制御の実施例の概略図である。
【図１２】相対湿度とカビの成長の相関を示す図である。
【図１３】導風板の通常時運転時の形態の概略図である。
【図１４】導風板の移動させた状態の概略図である。
【図１５】導風板を床方向へ導風する位置へ移動させた状態の正面吹出口の断面図である。
【図１６】導風板の送風範囲を示す模式図である。
【発明を実施するための形態】
【０００９】
図１は、本発明の一実施の形態に係る冷風機能付き除湿機（以下、除湿機という）の正面側から見た外観図、図２は、背面側から見た外観図であり、図３は、除湿機の正面及び側面の外装部材をそれぞれ取り外して内部構造を示した構造図である。
【００１０】
除湿機１は、図１に示されるように、その上部の正面側（手前側）には正面吹出口１０が形成されており、その左側半分は冷風吹出口１０ａ、右側半分は温風吹出口１０ｂとなっている。正面吹出口１０に対して背面側には操作部１２ａ及び表示部１２ｂがそれぞれ設けられている。また、正面吹出口１０にはそれを自動的に開閉自在に覆うルーバー１３が設けられており、ルーバー１３を回動させて正面吹出口１０の開口面積を調整することにより吹出範囲を変化させる（詳細は後述の図７等参照）。
【００１１】
また、除湿機１には、図２に示されるように、その背面側には、背面吹出口１４、冷風側吸込口１５及び温風側吸込口１６がそれぞれ形成されている。
【００１２】
また、除湿機１は、図３に示されるように、蒸発器２０、圧縮機２１、凝縮器２２及び膨張弁（図示せず）を内蔵しており、これらが冷媒配管（図示せず）により接続されて冷凍サイクル（図６参照）を構成している。蒸発器２０は、冷風側吸込口１５に対向して配置されており、冷風側吸込口１５から取り込まれた室内空気を冷却及び除湿する。圧縮機２１は除湿機１の底部側に配置されており、蒸発器２０からの冷媒を圧縮して凝縮器２２に送り出す。凝縮器２２は、温風側吸込口１６に対向して配置されており、温風側吸込口１６から取り込まれた室内空気を加熱する。凝縮器２２の下部には貯水タンク２３が配置されており、この貯水タンク２３には上記の蒸発器２０により室内空気が除湿される際に生成される水分が貯蔵される。蒸発器２０の手前側には、蒸発器側送風ファン（以下、送風ファンという）２４（後述の図４参照）が内蔵されたケーシング２５が配置されており、この送風ファン２４が室内空気を冷風側吸込口１５及び蒸発器２０を介して取り込んだ後、ケーシング２５を風路として冷風吹出口１０ａに送り出す（後述の図４参照）。また、凝縮器２２の手前側には凝縮器側送風ファン（以下、送風ファンという）２６が配置されており、室内空気を温風側吸込口１６及び凝縮器２２を介して取り込んだ後、温風吹出口１０ｂに送り出す（後述の図５参照）。このようにして、冷風の風路と温風の風路とが並存するように構成されている。
【００１３】
図４は、除湿機１の冷風側風路の断面図である。ケーシング２５には送風ファン２４の他に、送風ファン２４を駆動するための送風ファン駆動モータ（以下、駆動モータという）２７が内蔵されている。この駆動モータ２７が駆動されることにより送風ファン２４が回転し、この送風ファンが室内空気を冷風側吸込口１５及び蒸発器２０を介して取り込み、そして、蒸発器２０にて冷却されて除湿された空気をケーシング２５を風路として冷風吹出口１０ａに送り出す。
【００１４】
図５は、除湿機の温風側風路の断面図である。送風ファン２６には背面側には送風ファン駆動モータ（以下、駆動モータという）２８が配置されており、駆動モータ２８が駆動されることにより送風ファン２６が回転し、室内空気を温風側吸込口１６及び凝縮器２２を介して取り込み、そして、凝縮器２２にて加熱された空気を温風吹出口１０ｂに送り出す。
【００１５】
なお、除湿機１内の上部には風路切り換え機構（図示せず）が内蔵されており、これを手動又は自動で適宜動作させて風路を切り換えることにより、背面吹出口１４は、冷風吹出口１０ａより冷風のみを吹き出す場合は温風の排出口として機能し、温風吹出口１０ｂから温風のみを吹き出す場合は、冷風の排出口として機能する。通常の除湿運転では、冷風、温風とも正面吹出口１０から吹き出す。
【００１６】
図６は、除湿機１の制御系を示したブロック図である。
除湿機１は、マイコン等から構成される制御部３０を備えており、この制御部３０の入力側には、操作部１２ａ、室温を検出する温度検出手段３１及び室内の湿度を検出する湿度検出手段３２がそれぞれ接続されており、操作部１２ａの操作信号、室温及び湿度に基づいて各種の演算処理をする。なお、温度検出手段３１及び湿度検出手段３２は除湿機１本体の適当な部位に取り付けられる。制御部３０の出力側には、上記の圧縮機２０等から構成される冷凍サイクル３３、駆動モータ２７、駆動モータ２８、ルーバー駆動モータ３４（図７参照）及び表示部１２ｂがそれぞれ接続されている。
【００１７】
図７はルーバー１３の単品の外観及びルーバー駆動モータ３４の取付け位置を示した説明図である。ルーバー１３はルーバー駆動モータ３４によってその長さ方向を軸として回転し、図８及び図９に示されるような範囲で回動し、送風範囲を任意に変化させることができる。なお、図８の例は送風範囲を広角（１１０度）、図９の例は前方（６０度）にした例である。
【００１８】
上記のように、ルーバー１３を回動して送風範囲を変化させることで、除湿風の吹出し方向を任意の方向へ変化させることができる。駆動形態も任意に選択することが可能であり、一定方向へ固定して送風したり、一定角度範囲で周期的に往復させることができる。一般的には、１分に数回程度、制御にて設定された上限位置と下限位置を往復すると、室内の空気をよく攪拌して吸湿効果が高まり、また、衣類の乾燥を行う際には、送風範囲を広角（１１０度）にすることにより広い範囲に干した衣類に均一に除湿空気を当てることができるため、乾燥時間の短縮が可能となる。また、床面の乾燥を行う際には、送風範囲を前方（６０度）にすることにより床面に除湿空気を当てることができるため、乾燥時間の短縮が可能となる。
【００１９】
次に、本実施の形態の除湿機１の主な用途となる、特に浴室などの水まわりを想定した、カビの成長を抑制する効果を目的としたカビ防止運転の動作を説明する。
【００２０】
図１０はその制御動作を示したフローチャートである。これらの図を参照しながら、その動作説明をする。
除湿機１の差し込みプラグ１ａ（図２参照）がコンセントに差し込まれると、動作を開始し、温度検出手段３１及び湿度検出手段３２はそれぞれ室温及び湿度を検出し、制御部３０はその検出された室温及び湿度の各情報を取り込む。制御部３０は操作部１２ａの運転スイッチ（図示せず）が入力されたかどうかを判定し（Ｓ１３）、運転スイッチが入力されたと判定した場合には、運転モードの選択を判定する（Ｓ１４）。例えばカビ防止運転以外の運転モードが設定されている場合（Ｓ１５）には、その運転モードの処理をする（Ｓ１６）。運転モードがカビ防止運転モードに設定されている場合（Ｓ１７）には、室温が、室温＞２０℃であるかどうかを判定し（Ｓ１８）、室温＞２０℃である場合には最短運転時間を４時間に設定し、カビ防止運転を開始する（Ｓ１９）。室温＞２０℃ではない場合（２０℃以下の場合）には最短運転時間を６時間に設定し、カビ防止運転を開始する（Ｓ２０）。なお、このカビ防止運転は、蒸発器２０による冷風、凝縮器２２による温風又はその双方の何れによっても良い。
【００２１】
制御部３０は、湿度が、湿度＜５０％であるかどうかを判定し（Ｓ２１）、湿度＜５０％ではない場合（湿度５０％以上の場合）にはルーバー１３のスイング角度を広角（１１０度、図８参照）に設定してルーバー駆動モータ３４を駆動する（Ｓ２２）。また、湿度＜５０％である場合（湿度５０％未満の場合）にはルーバー１３のスイング角度を前方（６０度、図９参照）に設定してルーバー駆動モータ３４を駆動する（Ｓ２３）。
【００２２】
次に、制御部３０は、湿度が５０％未満到達後の経過時間＞４時間、及び運転開始からの経過時間＞最短運転時間の両方の条件が成立しているかどうかを判定し（Ｓ２４）、その条件が成立していない場合には上記の処理（Ｓ２１）に戻って、処理（Ｓ２１）〜（Ｓ２４）を繰り返し、条件が成立すると運転を停止する（Ｓ２５）。
【００２３】
図１１は、図１０の制御処理によって湿度がどのように変化したかを示したタイミングチャートである。浴室などの高湿の空間でのカビの発生を防止するために上記のカビ防止運転をする場合には、入浴後等は、浴室及び脱衣所の相対湿度は８０％を超える状態となっていることが多い。そのような状態で運転を開始すると、ルーバー１３は広角（１１０度）でスイング（往復動作）し（図８）、室内の空気を攪拌して効率よく除湿するとともに、天井や壁に除湿風を当てることにより天井や壁に付着した水滴を除去する。そして、時間の経過とともに湿度が下がって、５０％未満になると、ルーバー１３は前方（６０度）でスイングし（図９）、送風範囲が床面に近い範囲へ切り替えられて床面の乾燥を行う。湿度が５０％未満の状態が４時間維持され、且つ最短運転時間（例えば４時間）を超えると、カビ防止運転を停止する。
【００２４】
図１２は、カビの成長速度、即ち、一定期間、或る雰囲気に胞子を曝露した場合の菌糸の長さを比較した試験結果を示した図である。同図の結果に示されるように、相対湿度５０％以下の状態を少なくとも４時間維持する運転を１日に１回行えば、高湿の場合には、例えば、浴室の床面に水滴が常に残っている状態に比べ、カビの成長速度を約１／５に抑えることができる。
【００２５】
なお、上記の説明においては、ルーバー１３のスイング角度を広角（１１０度）から前方（６０度）に切り換えるのに湿度を基準とする例について説明したが、湿度に代えて室温に基づいて切り換えるようにしても良い。例えば、室温が高い場合には湿度が低いものと仮定して上記の湿度の場合と同様に切り換える。
また、ルーバー１３のスイング角度を広角（１１０度）から前方（６０度）に切り換えるのに、設定された湿度に代えて、予め設定された運転時間になった時点で切り換えるようにしても良い。
また、ルーバー１３のスイングの角度を２段階にした例について説明したが、送風範囲の変化を小刻みにし、天井、壁面及び床面のそれぞれを乾燥する制御の組合せにしても良い。
また、ルーバー１３のスイングの角度を切り換える基準として、湿度５０％未満（Ｓ２１）の例について説明したが、これを湿度６０％未満の任意の設定値としても同様な効果が得られる。
また、湿度５０％未満の状態を４時間以上継続させる例（Ｓ２４）について説明したが、湿度を湿度６０％未満の任意の設定値とし、運転時間を３時間以上とするようにしても良い。
また、最短運転時間は、除湿機の除湿能力が１日あたり１０Ｌ程度であれば、上記の４時間及び６時間が最適であるが（Ｓ１９、Ｓ２０）、この値に限定せず、除湿機の除湿能力や吹出風量により最適な値とすることが望ましい。
また、最短運転時間は、上記の例では２種類（４時間、６時間）の例を示したが、室温に対応した２以上の任意の個数の最短時間を設けて、室温に応じて適宜切り替えるようにしてもよい。
また、本実施の形態のような冷媒式の除湿機で、且つ、冷風である蒸発器通過風と温風である凝縮器通過風とを分けて吹き出す機能を備えた除湿機であれば、送風範囲の切替は、冷風吹出口１０ａと温風吹出口１０ｂの切り替えを組み合わせた動作としてもよい。その場合には、運転の後半（図１０の例では湿度５０％未満での運転）は、温風を床面に吹き出し、より水滴の蒸発を促す動作とすることができる。
また、送風範囲を床面方向へ変化させる手段は、ルーバー１３の動作角度の変化に限らず、除湿機１の本体に下吹出し専用の風路を備え、その風路の切替によるものでもよい。
また、除湿機の除湿方式は、フロン等を用いた蒸気圧縮式に限らず、ゼオライト素子等、吸湿素子を用いたデシカント方式や、ペルチェ素子を用いた方式でもよく、除湿方式に制限されるものではない。また、本発明は、電熱器（セラミックヒータ等）の加熱装置を備えた温風機器のように、相対湿度を下げる機能をもった機器においても同様に適用される。
【００２６】
また、除湿処理された空気（処理空気）の吹出範囲を変更する機構は、図７に示されたルーバー１３の形態に限定されるものではなく、それに関連する形態についても適宜変形し得るものであり、その例を図１３〜図１５に基づいて説明する。
【００２７】
図１３〜図１６は、ルーバー１３の上面に、ルーバー１３と同一の曲面を持った導風板４０をスライド自在に設けた例を示す説明図である。この導風板４０は、定常的には、ルーバー１３に重なった状態になっており、除湿機１の意匠面部品を構成している。この導風板４０をスライドしてルーバー１３よりも前方に引き出すと、ルーバー駆動モータ３４の駆動量が例えば図９の場合と同じであっても、図１６に示されるように、より床面方向へ除湿風が到達するようになる。
【００２８】
また、この導風板４０は、図示のように手動による固定式とし、運転開始前に使用者が導風板４０の位置を選択する方式でもよいが、この機構を自動的で行うことができる構造（図示せず）としても良い。そのようにすれば、送風範囲を変化させる際に、同時に導風板４０を移動させることにより床面方向への送風範囲をより増やし、より短時間で乾燥を行うことが可能となる。また、この導風板４０の形状は、意匠面に沿った形状に限定せず、より送風範囲を拡大することを優先した形状にしても良い。
【００２９】
以上のように本実施の形態の除湿機は構成されて動作するので、次のような効果が得られる。
【００３０】
本実施の形態に係る除湿機によれば、室内空気の吸込口（冷風側吸込口１５、温風側吸込口１６）及び処理空気の吹出口（正面吹出口１０）と、処理空気の吹出方向を自動的に変化させる機構（ルーバー１３）と、吸入した空気を吸湿又は加熱して相対湿度を下げる機能（蒸発器２０、凝縮器２２等）と、室温を検出する温度検出手段３１と、湿度を検出する湿度検出手段３２と、室温及び湿度に基づいて自動的に運転を開始し又は停止させる制御部３０とを備え、処理空気の吹出範囲を、室温及び湿度に基づいて運転中に変化させるようにしている。このため、時間の経過とともに変化する室内空気や、天井や壁面、床面の乾燥状態に応じて乾燥すべき方向へ送風し、室内を短時間で乾燥させることができる。例えば床面など水滴が溜まり、カビが発生しやすい場所へ除湿された乾燥風を送って水滴の蒸発を促すことで、空気の湿度を上げるとともに水滴を除去することにより短時間で乾燥させることができるので、カビ抑制効果の高い除湿機が得られる。
【００３１】
また、本実施の形態に係る除湿機によれば、室温又は湿度に応じて送風範囲を切り替えるとともに、予め設けられた設定湿度に達した後に、一定時間、その値以下の湿度を維持してから除湿運転を自動的に停止するようにしており、このため、室内を乾燥させるとともに、カビの菌糸の成長速度を低下させるのに必要な低湿度空気を一定時間維持した後に停止するので、余分な除湿運転を行わずに済む。
【００３２】
また、処理空気の吹出範囲（正面吹出口１０の開口面線）は、処理空気の吹出範囲を除湿運転中に変化させる機構（例えばルーバー１３）が、送風可能な全範囲の往復の他に、全範囲よりも狭い、天井を向いた動作範囲や、床面を向いた動作範囲等を適宜切り替えて運転できる構造が採用されており、除湿運転の時間経過とともに変化する室内の状態に応じて適切な方向へ送風することにより、室内を短時間で乾燥することができる。
【００３３】
また、処理空気の送風範囲を、前記の機構（例えばルーバー１３）が送風可能な全範囲（図８参照）と、前記の機構（ルーバー１３）が床面に近い方向の範囲（図９参照）としており、前記の全範囲の送風時は、室内空気を大きく攪拌して室内の場所による温度及び湿度の偏りを防ぐことにより、処理空気の温度及び湿度を略均一化して乾燥処理の効率を上げるとともに広い角度方向へ送風し、天井や壁面方向の風速を上げて、天井や壁の近傍での熱交換や蒸発を促すことができる。床面の方向へ送風範囲を変化させた場合は、天井や壁面よりも水滴の溜まりやすい、床面へ集中的に送風することができ、乾燥を十分に行うことができる。
【００３４】
また、除湿運転開始時は、室内空気の湿度を下げるとともに、水滴が落ちやすい、天井や壁面方向へ送風をすることで、除湿と水滴除去を効率良く行い、設定湿度を下回った後又は予め設定された時間の経過後は、空気中の相対湿度が下がっているため、広く空気を攪拌する必要が無いため、天井や壁面よりも水滴の溜まりやすい、床面の方向へ送風範囲を変化させ、床面の乾燥を十分に行い、乾燥時間の短縮を図ることが可能になっている。
【００３５】
更に、送風範囲をより大きく変更する手段として、正面吹出口１０とルーバー１３とによって形成される吹出口の形状を手動又は自動で変化させる構造とし（図１６等参照）、軸位置を固定した状態において、送風範囲の上端側、下端側のいずれか又は両方を拡大させる構造とし、乾燥したい方向や、室内の形状に合わせ、手動又は自動で任意に吹出口の形状を変化させることで、用途に応じた送風範囲を得ることができる。
【００３６】
前記の吹出口からの吹出し方向を変化させる手段として、意匠面に沿った板状部材（図１３等参照）を可動できる構造とすることで、動作前には、意匠部品として違和感が無く、送風範囲を拡大するための形態とした動作時も、意匠面に沿ってその部品が移動するため、製品の意匠性を損なうことなく、吹出範囲を変化させることができる。
【００３７】
また、前記の吹出口の形状を変化させる手段は、床面方向への送風範囲を拡大することができる形状とすることで、従来の一般的な除湿機では送風が困難だった本体の手前側に近い床面へも送風することができ、乾燥したい床面の方向に合わせて除湿機１の設置位置を調整する手間が無く、狭い設置場所でも運転が可能となる。
【００３８】
また、前記の吹出口の形状を変化させる構造は、予め設定された温度、湿度又は運転経過時間に応じて自動的に変化させるため、使用者が手動で調整せずとも、室内の環境に応じて適切な運転を行うことができる。
【００３９】
また、送風範囲を切り替える際の設定値を相対湿度６０％未満の値とし、室内空気や天井、壁面の乾燥の後、相対湿度６０％未満の処理空気を床面方向に集中して送風することで、水滴が溜まりやすく、カビが発生しやすい床面でのカビの成長を抑制することができる。
【００４０】
更に、予め設定された、相対湿度６０％未満の値を下回った後に、その維持時間を３時間より長い時間とし、設定時間を維持した後に自動停止するようにしており、このため、低湿度雰囲気を連続して維持せずとも、最低限の除湿運転時間とすることで、カビの成長を抑制する省エネで使い勝手の良い除湿機を得ることができる。
【００４１】
また、結露や水滴が発生しやすい場所の除湿運転時には最低運転時間を設けることで、使用者が運転時間を調節せずとも、環境によらず、乾燥効果を得ることができる。
【００４２】
また、その最低運転時間は、室温に応じた複数の値を設定し、室温に応じて値を切り替えることで、使用者が運転時間を調節せずとも、環境によらず、そのときの室温に適した一定の運転を行い、より安定した乾燥効果を得ることができる。
【００４３】
また、その最低運転時間は、室温が低い場合には、室温が高い場合に比べて長い時間とすることで、室温が低い場合でも十分な乾燥効果を得ることができる。
【００４４】
また、その最低運転時間は、室温２０℃以上の場合には４時間、室温２０℃未満の場合には６時間とすることで、一般的な家屋の居室や浴室であれば、大部分の水滴を乾かし、十分な乾燥効果を得ることができる。
【符号の説明】
【００４５】
１  除湿機、１０  正面吹出口、１０ａ  冷風吹出口、１０ｂ  温風吹出口、１２ａ  操作部、１２ｂ  表示部、１３  ルーバー、１４  背面吹出口、１５  冷風側吸込口、１６  温風側吸込口、２０  蒸発器、２１  圧縮機、２２  凝縮器、２３  貯水タンク、２４  送風ファン、２５  ケーシング、２６  送風ファン、２７  駆動モータ、２８  駆動モータ、３０  制御部、３１  温度検出手段、３２  湿度検出手段、３３  冷凍サイクル、３４  ルーバー駆動モータ、４０  導風板。
【図１】
2010236854.tif 000003
【図２】
2010236854.tif 000004
【図３】
2010236854.tif 000005
【図４】
2010236854.tif 000006
【図５】
2010236854.tif 000007
【図６】
2010236854.tif 000008
【図７】
2010236854.tif 000009
【図８】
2010236854.tif 000010
【図９】
2010236854.tif 000011
【図１０】
2010236854.tif 000012
【図１１】
2010236854.tif 000013
【図１２】
2010236854.tif 000014
【図１３】
2010236854.tif 000015
【図１４】
2010236854.tif 000016
【図１５】
2010236854.tif 000017
【図１６】
2010236854.tif 000018